(57)【要約】【課題】布団を隅々まで簡単に広げることを可能としながら、布団に汚れや傷みが生じるのを防止でき、見栄えにも優れた布団カバーを提供する。【解決手段】布団を出し入れする出し入れ口６と、隅部に設けられた開口部５ａ〜５ｄとを有する布団カバーであって、その隅部において、上布２と下布３の間に設けられた中布４を有し、上布２と中布４との間に開口部５ａ〜５ｄが形成され、中布４と下布３との間に布団の隅部を収容する収容部１１、１２が形成されることを特徴とする。開口部５ａ〜５ｄを介して布団カバー１内に手を挿入できるため、布団を隅々まで簡単に広げることが可能となる。また、布団の隅部を収容部１１、１２に収容できるため、開口部５ａ〜５ｄを設けていても、布団が露出せず、汚れや傷みが生じるのを防止することが可能となる。さらに、開口部５ａ〜５ｄから内部の布団が見えるのも防止できるため、見栄えを良くすることも可能となる。【選択図】図１
2008183072.tif 000002
【特許請求の範囲】
【請求項１】
布団を出し入れする出し入れ口と、少なくとも１つの隅部に設けられた開口部とを有する布団カバーであって、
前記少なくとも１つの隅部において、上布と下布の間に設けられた中布を有し、
前記上布及び下布の一方と前記中布との間に前記開口部が形成され、前記上布及び下布の他方と前記中布との間に前記布団の隅部を収容する収容部が形成されることを特徴とする布団カバー。
【請求項２】
前記中布の長手側及び短手側の一方の側部が縫合されるとともに、前記長手側及び短手側の他方の側部の少なくとも一部が開放され、前記中布の開放部分に前記開口部が形成されることを特徴とする請求項１に記載の布団カバー。
【請求項３】
前記上布及び下布の他方と前記中布との間に前記出し入れ口の一部が形成されることを特徴とする請求項１又は２に記載の布団カバー。
【請求項４】
前記開口部は、前記出し入れ口が存在する側部と離間した側部に存在し、
前記開口部が存在する側部は、前記出し入れ口が存在する側部と略々平行であることを特徴とする請求項１、２又は３に記載の布団カバー。
【請求項５】
前記中布は、該布団カバーの短手側又は長手側の側部の一端から他端まで連続的に設けられることを特徴とする請求項１乃至４のいずれかに記載の布団カバー。
【請求項６】
前記中布は、該布団カバーの短手側又は長手側の側部の一端から略々中央部までを覆うように設けられることを特徴とする請求項１乃至４のいずれかに記載の布団カバー。
【請求項７】
前記中布は、前記布団との接触面に滑り止め部を有することを特徴とする請求項１乃至６のいずれかに記載の布団カバー。
【発明の詳細な説明】
【技術分野】
【０００１】
本発明は、布団カバーに関し、特に、少なくとも１つの隅部に開口部を有し、該開口部を介して、内部に収容した布団の位置を調整することが可能な布団カバーに関する。
【背景技術】
【０００２】
従来、布団の汚れや傷みを防止するための保護カバーとして、布団カバーが広く用いられている。この布団カバーは、通常、長方形の上布及び下布からなる２枚の布部材を袋状に縫い合わせ、四辺のうちの一辺に長尺の出し入れ口を設けるように構成される。
【０００３】
上記の布団カバーでは、布団を出し入れ口から布団カバー内に押し入れてカバー掛けを行うが、布団の押し入れ自体は比較的に容易な作業であるものの、布団の隅が布団カバーの隅まで行き届き難く、布団を定位置に収容するのに苦労が伴うものとなっていた。
【０００４】
そこで、特許文献１に記載のように、布団の出し入れ口とは別に、四隅に開口部を設けた布団カバーが提案され、この布団カバーによれば、布団カバー内に布団を押し入れた後に、開口部から手を挿入して布団の位置を調整することができ、カバー掛けの際に、布団を隅々まで簡単に広げることが可能となる。また、出し入れ口に設けたファスナーを閉じた後でも、開口部から手を布団カバー内に挿入することができるため、就寝中にずれた布団の位置を容易に修正することが可能となる。
【特許文献１】特開２００２−３０６２８１号公報
【発明の開示】
【発明が解決しようとする課題】
【０００５】
しかしながら、特許文献１に記載の布団カバーにおいては、上布と下布の隅部を縫い合わせないことによって開口部を形成するため、出し入れ口のファスナーを閉じた後でも、布団の隅部が開口部から露出した状態となる。このため、布団カバーを掛けておいても、布団に汚れや傷みが生じる虞があり、布団カバー本来の機能が損なわれるという問題がある。
【０００６】
また、厚手の布団に布団カバーを掛けると、布団カバーが大きく膨らむが、特許文献１の布団カバーでは、布団カバーの膨らみに伴って、開口部の開口量が大きくなるため、開口部から露出する布団や、開口部そのものが目立つようになり、見栄えが悪くなるという問題もある。
【０００７】
そこで、本発明は、上記従来の技術における問題点に鑑みてなされたものであって、布団を隅々まで簡単に広げることを可能としながら、布団に汚れや傷みが生じるのを防止でき、見栄えにも優れた布団カバーを提供することを目的とする。
【課題を解決するための手段】
【０００８】
上記目的を達成するため、本発明は、布団を出入する出し入れ口と、少なくとも１つの隅部に設けられた開口部とを有する布団カバーであって、前記少なくとも１つの隅部において、上布と下布の間に設けられた中布を有し、前記上布及び下布の一方と前記中布との間に前記開口部が形成され、前記上布及び下布の他方と前記中布との間に前記布団の隅部を収容する収容部が形成されることを特徴とする。
【０００９】
そして、本発明によれば、開口部を介して布団カバー内に手を挿入することができるため、布団を隅々まで簡単に広げることが可能となる。また、布団の隅部を収容部に収容できるため、開口部を設けていても、布団が露出せず、汚れや傷みが生じるのを防止することが可能となる。さらに、収容部によって、布団が隠されるため、開口部から内部の布団が見えるのを防止することもでき、見栄えを良くすることも可能となる。
【００１０】
上記布団カバーにおいて、前記中布の長手側及び短手側の一方の側部を縫合するとともに、前記長手側及び短手側の他方の側部の少なくとも一部を開放し、前記中布の開放部分に前記開口部を形成することができる。この構成によれば、布団カバーの内部が露出したり、縫合が解れるのを防止することができる。また、開口部が大きく開口することも防止できるため、見栄えを良くすることも可能となる。
【００１１】
上記布団カバーにおいて、前記上布及び下布の他方と前記中布との間に前記出し入れ口の一部を形成することができる。この構成によれば、開口部と出し入れ口を独立して形成することができるため、開口部を閉じることなく、出し入れ口を閉じることが可能となり、また、布団カバーの長手側又は短手側の側部の全体に亘って、出し入れ口を形成することも可能となる。
【００１２】
上記布団カバーにおいて、前記開口部が、前記出し入れ口が存在する側部と離間した側部に存在し、前記開口部が存在する側部が、前記出し入れ口が存在する側部と略々平行であるように構成することができる。この構成によれば、開口部から挿入した手を出し入れ口から布団カバー外に出し易く、カバー掛けを簡単に行うことが可能となる。
【００１３】
上記布団カバーにおいて、前記中布を、該布団カバーの短手側又は長手側の側部の一端から他端まで連続的に設けることができる。この構成によれば、布団の短手側又は長手側の側部の全体を、上布及び下布の他方と中布との間に収容することができるため、就寝中に布団の位置がずれるのを抑制することが可能となる。
【００１４】
上記布団カバーにおいて、前記中布を、該布団カバーの長手側又は短手側の側部の一端から略々中央部までを覆うように設けることができ、これによれば、就寝中に布団の位置がずれるのを抑制することが可能となる。
【００１５】
上記布団カバーにおいて、前記中布が、前記布団との接触面に滑り止め部を有するように構成することができる。この構成によれば、布団カバーを掛けた際に、滑り止め部が布団の表面に接触し、中布と布団との摩擦力が増すため、就寝中に布団の位置がずれるのを防止することが可能となる。
【発明の効果】
【００１６】
以上のように、本発明によれば、布団を隅々まで簡単に広げることを可能としながら、布団に汚れや傷みが生じるのを防止でき、見栄えにも優れた布団カバーを提供することが可能となる。
【発明を実施するための最良の形態】
【００１７】
次に、本発明の実施の形態について図面を参照して詳細に説明する。
【００１８】
図１は、本発明にかかる布団カバーの第１の実施形態を示す平面図及び長手側の側面図であり、図２は、図１の布団カバーの分解図である。尚、図１の側面図においては、理解を容易にするため、膨らみをもたせた状態で図示している。また、図３以降の側面図及び断面図においても、同様にする。
【００１９】
本発明にかかる布団カバー１は、長方形の上布２と、該上布２と同形同寸の下布３と、上布２及び下布３の間に設けられる２枚の中布４との３つの布部材から構成される。布団カバー１の四隅には、長手側の側部（以下、適宜「長側部」という）１ａ、１ｂに沿って開口する開口部５ａ〜５ｄが設けられ、長側部１ａ、１ｂの一方には、略々全長に亘って開口する出し入れ口６が設けられる。また、出し入れ口６に沿って、出し入れ口６を開閉するためのファスナー７が付設され、下布３の四隅には、布団カバー１内に収容した布団の四隅を固定する紐８が付設される。
【００２０】
２枚の中布４は、各々、布団カバー１の短手側の側部（以下、適宜「短側部」という）１ｃに沿って設けられ、図２に示すように、その長側部４ａの長さＬ３は、上布２及び下布３の短側部２ａ、３ａの長さＬ１、Ｌ２と略々同じ長さに形成される。その一方で、短側部４ｂの長さＬ４は、上布２及び下布３の長側部２ｂ、３ｂの長さＬ５、Ｌ６より短く形成され、中布４の表面積は、上布２及び下布３の表面積に比べて小さくされる。尚、図１及び図２では、中布４の隅部分４ｃは、中部分４ｄよりも幅広に形成されるが、中部分４ｄより幅狭に形成したり、中部分４ｄと同幅に形成してもよい。
【００２１】
図３は、図１の布団カバー１の縫合箇所を示す平面図であり、同図（ａ）は、上布２と中布４の縫合箇所を示し、同図（ｂ）は、中布４と下布３の縫合箇所を示し、同図（ｃ）は、上布２と下布３の縫合箇所を示す。
【００２２】
図３（ａ）に示すように、上布２及び中布４の間では、領域Ｂにおいて、上布２の短側部２ａと、中布４の長側部４ａとが縫合され、領域Ｃにおいて、上布２の長側部２ｂの一部と、中布４の短側部４ｂの一端とが縫合される。このため、上布２と中布４の関係においては、中布４の長側部４ａと上布２の短側部２ａが合着され、上布２の長側部２ｂでは、領域Ｃを除き、上布２及び中布４が共に開放された（合着されていない）状態となる。
【００２３】
また、図３（ｂ）に示すように、中布４及び下布３の間では、領域Ｄにおいて、下布３の短側部３ａと、中布４の長側部４ａとが縫合される。また、出し入れ口６と反対側の側部３ｂの領域Ｅにおいて、中布４の短側部４ｂと、下布３の長側部３ｂの一部とが縫合され、中布４の短側部４ｂの全体と下布３とが合着される。
【００２４】
さらに、図３（ｃ）に示すように、上布２及び下布３の間では、領域Ｆにおいて、上布２の短側部２ａと、下布３の短側部３ａとが縫合され、中布４が存在しない領域Ｇにおいて、上布２の長側部２ｂと下布３の長側部３ｂが縫合される。
【００２５】
上記の縫合により、布団カバー１の短側部１ｃ（図１参照）が閉じられ、また、布団カバー１の長側部１ｂ（図１参照）においては、中布４と下布３によって、中布４が存在する部分が閉じられ、それに連続して、上布２と下布３によって、中布４が存在しない部分が閉じられる。すなわち、布団カバー１の隅部において、布団カバー１の短側部１ｃと長側部１ｂの双方が閉じられるため、図４（ｂ）に示すように、中布４と下布３との間に、布団の隅部を収容できる収容部１１が形成される。
【００２６】
その一方で、布団カバー１の長側部１ｂの中布４が存在する部分では、上布２と中布４は縫合されず、閉じられていないため、図４（ａ）に示すように、上布２と中布４との間に、開口部５ｄが形成される。尚、図示されていないが、開口部５ａ〜５ｃも同様に、上布２と中布４との間に形成される。
【００２７】
図５は、ファスナー７の縫合箇所を示す平面図であり、同図（ａ）は、上側ファスナーテープの縫合箇所を示し、同図（ｂ）は、下側ファスナーテープの縫合箇所を示す。
【００２８】
ファスナー７の上下２本のファスナーテープのうち、上側ファスナーテープは、上布２及び中布４に縫合される。但し、この際、図５（ａ）に示すように、中布４が存在しない領域Ｈでは、上布２の長側部２ｂと縫合され、中布４が存在する領域Ｊでは、中布４の短側部４ｂと縫合される。一方、下側ファスナーテープは、図５（ｂ）に示すように、下布３の長側部３ｂの全体と縫合される。
【００２９】
上記の縫合により、中布４が存在する布団カバー１の隅部においては、図６（ａ）、（ｂ）に示すように、上布２と中布４との間に開口部５ｂが形成され、中布４と下布３との間に収容部１２が形成される。また、出し入れ口６と別個に開口部５ｂが形成されるため、図６（ｃ）に示すように、ファスナー７を閉じても、開口部５ｂは、閉じられず、開口された状態が維持される。尚、図示されていないが、開口部５ａについても同様である。
【００３０】
次に、図１の布団カバー１の製造方法について、図３及び図５を参照して説明する。
【００３１】
まず、上布２の短側部２ａと、中布４の長側部４ａとを縫い合わせ（図３（ａ）の領域Ｂ）、次いで、上布２の長側部２ｂの一部と、中布４の短側部４ｂの一端とを縫い合わせる（図３（ａ）の領域Ｃ）。次に、中布４を縫着した上布２を、紐８を取り付けた下布３に重ね、上布２及び下布３の短側部２ａ、３ａ、並びに中布４の長側部４ａを縫い合わせる（図３（ａ）〜（ｃ）の領域Ｂ、Ｄ、Ｆ）。
【００３２】
次いで、上布２の長側部２ｂと、下布３の長側部３ｂとを縫い合わせ（図３（ｃ）の領域Ｇ）、その後、中布４の短側部４ｂと、下布３の長側部３ｂとを縫い合わせる（図３（ｂ）の領域Ｅ）。最後に、上布２及び中布４、並びに下布３の各々に、上側ファスナーテープ、下側ファスナーテープを取り付ける（図５の領域Ｈ〜Ｋ）。
【００３３】
次に、図１の布団カバー１の使用例について、図７及び図８を参照して説明する。
【００３４】
布団カバー１を使用するにあたっては、まず、図７に示すように、出し入れ口６と反対側の側部１ｂにある開口部５ｃ、５ｄから布団カバー１内に手を挿入し、挿入した手を出し入れ口６から出す。次いで、出し入れ口６から出した手で布団２０を掴み、布団２０を布団カバー１内に引き込むか、又は布団カバー１を布団２０側に押し下げて、布団２０を布団カバー１内に収容する。
【００３５】
布団２０の全体を収容した後、開口部５ａ〜５ｄから布団カバー１内に手を挿入し、図８に示すように、布団２０の短側部２０ａを、中布４と下布３との間に収容する。次いで、布団２０全体の位置を調整し、布団２０の隅部を布団カバー１の隅部に合わせる。
【００３６】
その後、下布３の紐８（図１参照）を布団２０に結んで、布団２０の隅部を固定し、最後に、開口部５ａ〜５ｄから手を抜いて、出し入れ口６のファスナー７を閉じる。尚、就寝中に布団２０の位置がずれた場合には、開口部５ａ〜５ｄから手を挿入し、布団２０を掴んで、位置を修正する。
【００３７】
以上、説明したように、本実施の形態によれば、上布２と中布４との間に開口部５ａ〜５ｄを有し、中布４と下布３との間に収容部１１、１２を有するため、開口部５ａ〜５ｄを設けていても、布団２０が露出せず、汚れや傷みが生じるのを防止することが可能となる。また、収容部１１、１２によって、布団２０が隠されるため、開口部５ａ〜５ｄから内部の布団２０が見えるのを防止することもでき、見栄えを良くすることも可能となる。
【００３８】
また、本実施の形態においては、開口部５ｃ、５ｄを形成するに際し、中布４の短側部４ｂを開放する一方で、中布４の長側部４ａを上布２及び下布３と縫合して、上布２及び下布３に固定するため、布団カバー１の使用時や保管時に、上布２の隅部が捲れ上がることがなく、布団カバー１の内部が露出したり、縫合が解れるのを防止することが可能となる。また、上記の構成では、厚手の布団２０を収容したときに、開口部５ａ〜５ｄが大きく開口することも防止できるため、見栄えを良くすることも可能となる。
【００３９】
さらに、本実施の形態においては、出し入れ口６を形成するに際し、中布４が存在しない部分では、上側ファスナーテープを上布２の長側部２ｂと縫合し、中布４が存在する部分では、上側ファスナーテープを中布４の短側部４ｂと縫合するため、開口部５ａ、５ｂと出し入れ口６を独立して形成することができる。これにより、開口部５ａ、５ｂを閉口することなく、出し入れ口６を閉じることが可能となり、また、布団カバー１の長側部１ａの全体に亘って、出し入れ口６を形成することも可能となる。
【００４０】
また、本実施の形態によれば、中布４を、布団カバー１の短側部１ｃの一端から他端まで連続的に設けるため、布団カバー１を掛けたときに、布団２０の短側部２０ａの全体を中布４と下布３の間に収容することができ、就寝中に布団２０の位置がずれるのを抑制することが可能となる。
【００４１】
さらに、本実施の形態においては、開口部５ｃ、５ｄが、出し入れ口６が存在する長側部１ａと略々平行な長側部１ｂに沿って設けられるため、開口部５ｃ、５ｄから挿入した手を出し入れ口６から布団カバー１外に出し易く、カバー掛けを簡単に行うことが可能となる。
【００４２】
図９は、本発明にかかる布団カバーの第２の実施形態を示す平面図及び長手側の側面図であり、この布団カバー３０においては、中布４に、複数の滑り止め部３１が付設される。滑り止め部３１は、中布４の布団との接触面に配置され、弾性体や起毛材等によって形成される。尚、滑り止め部３１は、図９のように、円板状のものを並べる場合に限らず、布団カバー３０の短手方向に延びる帯状のものを並べて配置してもよい。
【００４３】
本実施の形態によれば、布団カバー３０を掛けた際に、滑り止め部３１が布団の表面に接触し、中布４と布団との摩擦力が増すため、就寝中に布団の位置がずれるのを防止することが可能となる。
【００４４】
図１０は、本発明にかかる布団カバーの第３の実施形態を示す平面図及び長手側の側面図であり、この布団カバー４０においては、上布２及び下布３との間に、４つの中布４１ａ〜４１ｄが設けられる。各中布４１ａ〜４１ｄは、布団カバー４０の短側部４０ａの端部４０ｂから略々中央部４０ｃまでを覆うように形成される。本実施の形態においても、中布４１ａ〜４１ｄの短側部４１ｅと上布２の長側部２ｂとの間には、開口部５ａ〜５ｄが形成され、中布４１ａ〜４１ｄの短側部４１ｅと下布３の長側部３ｂとの間には、布団の隅部を収容する収容部が形成される。尚、図１０では、中布４１ａ〜４１ｄは、布団カバー４０の短側部４０ａの端部４０ｂ側から中央部４０ｃ側に向けて幅狭になるが、端部４０ｂ側と中央部４０ｃ側とを同幅に形成してもよい。
【００４５】
図１１は、本発明にかかる布団カバーの第４の実施形態を示す平面図及び長手側の側面図であり、この布団カバー５０においては、布団カバー５０の隅部５０ａにのみ、中布５１ａ〜５１ｄが設けられる。本実施の形態においても、中布５１ａ〜５１ｄの側部５１ｅと上布２の長側部２ｂとの間には、開口部５ａ〜５ｄが形成され、中布５１ａ〜５１ｄの側部５１ｅと下布３の長側部３ｂとの間には、布団の隅部を収容する収容部が形成される。
【００４６】
以上、本発明の実施の形態を説明したが、本発明は、上記構成に限定されるものではなく、特許請求の範囲に記載された発明の範囲内で種々の変更が可能である。
【００４７】
例えば、上記実施の形態においては、上布２と中布との間に開口部５ａ〜５ｄを設け、中布と下布３との間に収容部１１、１２を設けるが、上布２、下布３及び中布の縫い合わせを変えて、上布２と中布との間に収容部１１、１２を設け、中布と下布３との間に開口部５ａ〜５ｄを設けるようにしてもよい。この場合、開口部５ａ〜５ｄが布団カバーの下側に位置するため、手を挿入し難くなるものの、上布２と中布との間に布団が収容されるため、中布が透けて見えるのを防止することができる。
【００４８】
また、上記実施の形態においては、開口部５ａ〜５ｄを布団カバーの四隅のみに設けるが、四隅以外の部分にも設けてもよく、例えば、布団カバーの長側部及び短側部の略々中央部等に、開口部５ａ〜５ｄとは別の開口部を追加的に設けてもよい。
【００４９】
さらに、上記実施の形態においては、開口部５ａ〜５ｄを布団カバーの四隅のすべてに設けるが、必ずしも、四隅のすべてに設ける必要はなく、３つ又は２つの隅部に設けたり、１つの隅部のみに設けるようにしてもよい。特に、出し入れ口６に近い隅部では、出し入れ口６を開ければ、布団の隅部に容易に手が届くため、開口部５ａ、５ｂを省略しても差し支えはない。
【００５０】
また、上記実施の形態においては、開口部５ａ、５ｂ及び出し入れ口６の双方を、布団カバーの長側部に設けるが、出し入れ口６を布団カバーの長側部に設ける一方で、開口部５ａ、５ｂを布団カバーの短側部に設けてもよい。この場合、上側のファスナーテープの縫い合わせを、上布２の長側部２ｂの途中で切り替える必要がないため、ファスナー７の取り付けが容易となる。
【００５１】
さらに、上記実施の形態においては、布団カバーの長側部に出し入れ口６を設けるが、布団カバーの短側部に出し入れ口６を設けてもよい。この場合、開口部５ｃ、５ｄは、出し入れ口６が存在する短側部と対向する短側部に沿って設けることが好ましい。尚、開口部５ａ、５ｂについては、布団カバーの短側部に沿って設けてもよいし、長側部に沿って設けてもよい。
【００５２】
また、上記実施の形態においては、出し入れ口６を上布２と下布３の境界部分に形成するが、上布２又は下布３に直接に形成してもよい。特に、出し入れ口６を下布３に形成した場合には、布団カバーの下側にファスナー７を隠すことができ、見栄えを良くすることができる。
【００５３】
さらに、上記実施の形態においては、開口部５ａ〜５ｄを常時開口するが、ファスナー、面ファスナー及びボタン等の係止部材を開口部５ａ〜５ｄに付設し、開口部５ａ〜５ｄを開閉自在にしてもよい。
【００５４】
また、上記実施の形態においては、寝具の布団を例に挙げて説明したが、本発明は、掛け布団カバー及び敷き布団カバーの何れにも適用可能であることは勿論のこと、こたつ布団用の布団カバーや座布団用の座布団カバー等、寝具用の布団カバー以外にも広く適用することが可能である。
【図面の簡単な説明】
【００５５】
【図１】本発明にかかる布団カバーの第１の実施形態を示す平面図及び長手側の側面図である。
【図２】図１の布団カバーの分解図である。
【図３】図１の布団カバーの縫合箇所を示す平面図であり、（ａ）は、上布と中布の縫合箇所を示し、（ｂ）は、中布と下布の縫合箇所を示し、（ｃ）は、上布と下布の縫合箇所を示す図である。
【図４】（ａ）は、図１のＡ部の拡大図であり、（ｂ）は、図１のＩ−Ｉ線断面図である。
【図５】ファスナーの縫合箇所を示す平面図であり、（ａ）は、上側ファスナーテープの縫合箇所を示し、（ｂ）は、下側ファスナーテープの縫合箇所を示す図である。
【図６】（ａ）は、図１のＭ部の拡大図であり、（ｂ）は、図１のＩＩ−ＩＩ線断面図であり、（ｃ）は、ファスナーを閉じたときの図１のＭ部の拡大図である。
【図７】図１の布団カバーの使用例を説明する図である。
【図８】図１の布団カバーの使用例を説明する図であり、（ａ）は、平面図、（ｂ）は、（ａ）のＩＩＩ−ＩＩＩ線断面図である。
【図９】本発明にかかる布団カバーの第２の実施形態を示す平面図及び長手側の側面図である。
【図１０】本発明にかかる布団カバーの第３の実施形態を示す平面図及び長手側の側面図である。
【図１１】本発明にかかる布団カバーの第４の実施形態を示す平面図及び長手側の側面図である。
【符号の説明】
【００５６】
１    布団カバー
１ａ  布団カバーの長側部
１ｂ  布団カバーの長側部
１ｃ  布団カバーの短側部
２    上布
２ａ  上布の短側部
２ｂ  上布の長側部
３    下布
３ａ  下布の短側部
３ｂ  下布の長側部
４    中布
４ａ  中布の長側部
４ｂ  中布の短側部
４ｃ  中布の隅部分
４ｄ  中布の中部分
５（５ａ〜５ｈ）  開口部
６    出し入れ口
７    ファスナー
８    紐
１１  収容部
１２  収容部
２０  布団
２０ａ  布団の短側部
３０  布団カバー
３１  滑り止め部
４０  布団カバー
４０ａ  布団カバーの短側部
４０ｂ  布団カバーの短側部の端部
４０ｃ  布団カバーの短側部の中央部
４１（４１ａ〜４１ｄ）  中布
４１ｅ  中布の短側部
５０  布団カバー
５０ａ  布団カバーの隅部
５１（５１ａ〜５１ｄ）  中布
５１ｅ  中布の側部
【図１】
2008183072.tif 000003
【図２】
2008183072.tif 000004
【図３】
2008183072.tif 000005
【図４】
2008183072.tif 000006
【図５】
2008183072.tif 000007
【図６】
2008183072.tif 000008
【図７】
2008183072.tif 000009
【図８】
2008183072.tif 000010
【図９】
2008183072.tif 000011
【図１０】
2008183072.tif 000012
【図１１】
2008183072.tif 000013